(57)【要約】【課題】自動改札機群を自動的に各処理型に設定できるようにする。【解決手段】一つの改札口に設置される複数の自動改札機群と、その自動改札機群を監視制御する監視盤と、前記自動改札機群を改札専用型にする割合、集札専用型にする割合及び改札も集札も可能な兼用型にする割合の処理型割合を入力する、前記監視盤に設けられた入力手段と、設定された処理型割合で前記自動改札機群を改札専用型、集札専用型及び兼用型に設定する設定手段とからなる。【選択図】　　　図１
2004110260.tif 000002
【特許請求の範囲】
【請求項１】
一つの改札口に設置される複数の自動改札機群と、
前記自動改札機群を監視制御する監視盤と、
前記自動改札機群を改札専用型にする割合、集札専用型にする割合及び改札も集札も可能な兼用型にする割合の処理型割合を入力する、前記監視盤に設けられた入力手段と、
設定された処理型割合で前記自動改札機群を改札専用型、集札専用型及び兼用型に設定する設定手段と、
からなることを特徴とする自動改札機システム。
【請求項２】
請求項１に記載の自動改札機システムにおいて、兼用型から改札専用型又は集札専用型への変更は、改札通路内に利用者がいないとき、又はその改札通路から利用者が出たときに行われることを特徴とする自動改札機システム。
【請求項３】
請求項２に記載の自動改札機システムにおいて、兼用型から改札専用型又は集札専用型への変更は、当初、乗車券の投入口のシャッタを閉じ、次の利用者が改札通路を出たときにドアを閉にすることを特徴とする自動改札機システム。
【請求項４】
請求項２又は３に記載の自動改札機システムにおいて、故障した自動改札機が復旧したときは、自動的に元の処理型に戻すことを特徴とする自動改札機システム。
【発明の詳細な説明】
【０００１】
【発明の属する技術分野】
本発明は、駅の改札口に多数の自動改札機が設置される場合の自動改札機システムに関する。
【０００２】
【従来の技術】
従来、例えば、特開２００２−９９９３５号公報の図２に示されるように、一つの改札口に多数の自動改札機の本体が設置される場合、これら自動改札機の本体は、改札（入場）専用型、集札（出場）専用型及び改札も集札も可能な兼用型に所定の割合で設定されている。この設定される割合は、改札口の利用者（旅客）の動態を把握して改札口が混雑しないように決められている。
【０００３】
ところで、上記従来の一つの改札口に多数の自動改札機が設置される場合、一つの自動改札機の本体が券詰り等でダウンしたとき、そのダウンした自動改札機をカバーするために、他の自動改札機、例えばそのダウンした自動改札機の隣りの自動改札機の本体を兼用型から改札専用型又は集札専用型に、あるいは、これら専用型から兼用型に係員によって処理型が手動により設定され、改札口の混雑緩和が図られている。
【０００４】
【発明が解決しようとする課題】
しかしながら、上記従来の一つの改札口に多数の自動改札機が設置される自動改札機システムにおいて、例えば、一つの自動改札機がダウンしてそれをカバーするために他の自動改札機の処理型を変更したとき、その一つの自動改札機が復旧しても他の自動改札機の処理型を元に戻すのを忘れてしまうことが多々あった。
【０００５】
そこで、本発明は、自動改札機の処理型を自動的に設定することのできる自動改札機システムを提供することを目的としている。
【０００６】
【課題を解決するための手段】
本発明に係る自動改札機システムは、上記目的を達成するために、請求項１に記載の発明は、一つの改札口に設置される複数の自動改札機群と、その自動改札機群を監視制御する監視盤と、前記自動改札機群を改札専用型にする割合、集札専用型にする割合及び改札も集札も可能な兼用型にする割合の処理型割合を入力する、前記監視盤に設けられた入力手段と、設定された処理型割合で前記自動改札機群を改札専用型、集札専用型及び兼用型に設定する設定手段と、からなることを特徴としている。
本発明の請求項２に記載の自動改札機システムは、兼用型から改札専用型又は集札専用型への変更は、改札通路内に利用者がいないとき、又はその改札通路から利用者が出たときに行われることを特徴としている。
本発明の請求項３に記載の自動改札機システムは、兼用型から改札専用型又は集札専用型への変更は、当初、乗車券の投入口のシャッタを閉じ、次の利用者が改札通路を出たときにドアを閉にすることを特徴としている。
本発明の請求項４に記載の自動改札機システムは、故障した自動改札機が復旧したときは、自動的に元の処理型に戻すことを特徴としている。
【０００７】
【発明の実施の形態】
以下、本発明の実施の形態を図面に基づいて説明する。図１は、一実施の形態に係る自動改札機システムの概略構成図である。この図１において、Ｇ１　〜Ｇｎ　は、それぞれ自動改札機を示し、駅の一つの改札口に設置されて自動改札機群を形成している。また、３０は、これら自動改札機群（Ｇ１　〜Ｇｎ　）と通信回線で接続され、駅の係員室（改札窓口）に設置されている監視盤である。
【０００８】
これら自動改札機群（Ｇ１　〜Ｇｎ　）のうち、自動改札機Ｇ１　は、改札（入場）専用型に、自動改札機Ｇ２　〜Ｇｎ−２　は改札も集札（出場）も可能な兼用型に、そして、自動改札機Ｇｎ−１　，Ｇｎ　は集札専用型に設定されている。
【０００９】
各自動改札機Ｇ１　〜Ｇｎ　は同一構成なので自動改札機Ｇ１　を例に説明すると、自動改札機Ｇ１　は、磁気券からなる乗車券も無線通信機能を備えたＩＣカードからなる非接触券も処理できる両用型に構成されている。したがって、自動改札機Ｇ１　の筐体上面には、乗車券を投入する投入口１及び投入された乗車券を利用者へ返却する取出口２が設けられているとともに、非接触券と交信するためのアンテナ３が設けられている。また、この自動改札機Ｇ１　には、改札通路を開閉するドア４が設けられているとともに、改札通路内の利用者を検知する人間検知センサ（図示せず）が設けられている。
【００１０】
図２は、自動改札機Ｇ１　に設けられている制御器（図１では省略）Ｃの概略構成図を示すブロック図である。この制御器Ｃは、ＲＯＭ１０に格納されているシステムプログラムデータ及びＲＡＭ１１に格納されているワーキングデータを用いて入場又は出場のための所定の演算処理を行うＣＰＵ（中央処理部）１２を有している。
【００１１】
ＣＰＵ１２は、Ｉ／Ｏユニット１３を介してドア４を駆動制御するドア駆動ユニット１５と、投入口１から投入された乗車券を処理するカードハンドラ１６と、人間検知センサからの検出信号を処理する人間検知センサユニット１６と、アンテナ３を介して非接触券からのデータの読取り及びその非接触券へのデータの書込みを行うリーダライタ（Ｒ／Ｗ）ユニット１７と、自動改札機Ｇ１　を保守モード等の各種モードに設定したり、保守点検を行う係員処理ユニット１８と、投入口１の図示しないソレノイドで駆動されるシャッタを制御するシャッタユニット１９とが接続されている。また、このＩ／Ｏユニット１３には、通信回線Ｌを介して監視盤３０と交信するための通信制御部２０が接続されている。なお、Ｉ／Ｏユニット１３には、利用者へ文字により所定の内容を案内する表示画面を駆動制御する表示画面駆動ユニット等も接続されているが、ここでは省略されている。
【００１２】
駅の係員室に設けられている監視盤３０は、周知の監視盤と同様に、タッチパネルからなる操作部３０ａと、この監視盤３０を統括的に制御するＣＰＵを中心に形成された制御部３０ｂと、自動改札機群（Ｇ１　〜Ｇｎ　）と通信を行うための通信制御部３０ｃとを有している。
【００１３】
以下、上記構成の自動改札機システムの制御動作について説明する。先ず、自動改札機群（Ｇ１　〜Ｇｎ　）の稼動開始に先立って監視盤３０に自動改札機群（Ｇ１　〜Ｇｎ　）の処理型の割合が入力される。この処理型の割合の入力は、監視盤３０の操作部３０ａを介して行われる。例えば、改札専用型が全体の１割（１０％）、兼用型が全体の７割（７０％）、集札専用型が全体の２割（２０％）となる数値が入力される。この入力は、通常、一度入力すれば再度の入力は不要であるが、朝夕のラッシュ時に合わせて自動的に変えることもでき、また、駅近くで催されるイベント等に合わせても変えることもできる。さらに、この入力は、駅全体の旅客を管理しているホストコンピュータから出力される情報を監視盤３０で受信して自動的に行うことも可能である。
【００１４】
上述の処理型の割合の入力に当っては、改札口のどの自動改札機を改札専用型にするか、あるいは集札専用型等にするかも入力される。図１の例では、改札口の左側が改札専用型に、また右側が集札専用型に、そして、これら中間が兼用型とされている。なお、このような処理型の割合と配置の決定は、改札口の利用者の動態調査に基づいて行われ、いずれにしても、改札口が混雑しないように最も効率のよい入出場処理が行われるように決められている。
【００１５】
図３（ａ）のフローチャートは、上述のように処理型の割合が設定されて自動改札機群（Ｇ１　〜Ｇｎ　）の稼動中、一部の自動改札機、例えば、自動改札機Ｇ１　が券詰りやアンテナ３に係るリーダライタユニット１７の不調で故障したときの制御動作を示している（ステップ１００肯定、以下、ステップを「Ｓ」とする。）。この場合、改札専用型が０となるので、残りの自動改札機Ｇ１　〜Ｇｎ　が上述の所定の処理型となるように設定しなおされる（Ｓ１０２）。この設定しなおしにより、例えば、自動改札機Ｇ２　は、改札専用型に、自動改札機Ｇ３　〜Ｇｎ−１　は兼用型に、自動改札機Ｇｎ　は、集札専用型とされる。そして、故障した自動改札機Ｇ１　の故障が復旧したときは（Ｓ１０４肯定）、元の状態の処理型に自動的に戻される（Ｓ１０６）。
【００１６】
図３（ｂ）のフローチャートは、兼用型から専用型に処理型が変更される（切換えられる）ときの制御動作を示している。なお、この兼用型から専用型の変更は、その兼用型の自動改札機の処理方向（改札方向（入場方向）又は集札方向（出場方向））側が券詰りや集札箱（図示せず）の満杯、あるいはリーダライタユニットの不調等で処理できなくなったために、他方向に変更になったとき（この他方向に変更になった場合も、処理型の割合が変わるので、上記図３（ａ）に従って設定のしなおしが行われる。）、あるいは、上記図３（ａ）に従った設定のしなおしの場合も行われる。
【００１７】
この兼用型から専用型への変更は、閉じられるドアから利用者を保護するために、改札通路内に利用者が検知されているときは、その利用者が改札通路から出たことが検知されてから行われる（Ｓ２００肯定、Ｓ２０２肯定、Ｓ２０４肯定、Ｓ２０６）。また、改札通路に利用者が検知されないときは（Ｓ２０２否定）、先ず、変更される処理型と反対側の投入口のシャッタが閉じられる（Ｓ２０８）。例えば、兼用型の自動改札機が集札専用型に変更されるときは、改札側の投入口のシャッタが閉じられる。これにより、改札側からの利用者の改札通路への進入は禁止される。次いで、集札側からの最初の利用者が改札通路を通過した後に（Ｓ２１０肯定）、改札側に設けられているドア４が閉となり、集札専用型への設定が終了となる。
【００１８】
なお、上述の例では、自動改札機Ｇ１　〜Ｇｎ　は乗車券も非接触券も処理できる両用型としたが、乗車券のみ又は非接触券のみ処理できるものであってもよい。
【００１９】
【発明の効果】
本発明の請求項１に記載の自動改札機システムは、一つの改札口に設置される複数の自動改札機群と、その自動改札機群を監視制御する監視盤と、前記自動改札機群を改札専用型にする割合、集札専用型にする割合及び改札も集札も可能な兼用型にする割合の処理型割合を入力する、前記監視盤に設けられた入力手段と、設定された処理型割合で前記自動改札機群を改札専用型、集札専用型及び兼用型に設定する設定手段とからなるので、自動改札機群を自動的に各処理型に設定することができ、故障の自動改札機が発生しても改札口の混雑を未然に防止することができる。
本発明の請求項２に記載の自動改札機システムは、兼用型から改札専用型又は集札専用型への変更は、改札通路内に利用者がいないとき、又はその改札通路から利用者が出たときに行われるので、利用者の安全を確保することができる。
本発明の請求項３に記載の自動改札機システムは、兼用型から改札専用型又は集札専用型への変更は、当初、乗車券の投入口のシャッタを閉じ、次の利用者が改札通路を出たときにドアを閉にするので、利用者の安全を確保することができる。
本発明の請求項４に記載の自動改札機システムは、故障した自動改札機が復旧したときは、自動的に元の処理型に戻すので、自動的に元の処理型にすることができる。
【図面の簡単な説明】
【図１】本発明の一実施の形態に係る自動改札機システムの概略構成図である。
【図２】自動改札機の制御器のブロック図である。
【図３】制御動作を示すフローチャートである。
【符号の説明】
Ｇ１　〜Ｇｎ　　自動改札機
１　投入口
２　取出口
３　アンテナ
４　ドア
Ｌ　通信回線
３０　監視盤
３０ａ　操作部
３０ｂ　制御部
３０ｃ　通信制御部
【図１】
2004110260.tif 000003
【図２】
2004110260.tif 000004
【図３】
2004110260.tif 000005